(57)【要約】【課題】ファンフィルタユニットは、クリーンルームの天井のみでなく、装置に組み入れられて用いられることが多く、作業者の近くにあり騒音が大きいという課題がある。【解決手段】ブレード入り口部にブレードと共に回転するインデューサを有し、ブレードの出口が回転方向に対し後向きで、かつブレードの内径部または内径部より外径側の間の点より外径部までが、軸方向の断面が同一でなく、出口角度が主板側より側板側に向かって順次小さくなるよう、外周部に向かって捻られた形状を有する遠心ファンとしたものである。【選択図】　図１
2004052615.tif 000002
【特許請求の範囲】
【請求項１】
ブレードの出口が回転方向に対し後向きで、かつブレード入り口部にブレードと共に回転するインデューサを有し、かつブレードの内径部または内径部より外径側の間の点より外径部までが、軸方向の断面が同一でなく、出口角度が主板側より側板側に向かって順次小さくなるよう、外周部に向かって捻られた形状を有する遠心ファン。
【請求項２】
電動機で駆動される上記請求項１記載の遠心ファンの周囲に箱状の本体を有し、さらに吐出口に集塵フィルタを有したファンフィルタユニット。
【発明の詳細な説明】
【０００１】
【発明の属する技術分野】
本発明は、主としてクリーンルーム内で建物の集塵用に使用されるファンフィルタユニットに関する。
【０００２】
【従来の技術】
従来、この種の遠心ファン１０４は、一例として図４または図５に示すように、ベルマウス吸込口１００を持つ側板１０１と、主板１０２を有し、側板１０１と主板１０２で挟まれたブレード１０３を有している。また吸込側にインデューサ１０５を持つ場合もある。吸込口より空気を吸引し、ブレード１０３により昇圧される構造となっている。通常、ブレード１０３の出口角は軸方向に同一になっているが、出口流れ軸方向に均一ではない。また、このような遠心ファン１０４を用いたファンフィルタユニットは、一例として図６に示すように、吸込口１０７にガード１０８を有し、電動機１０９で駆動される遠心ファン１０４より空気を吸引し、その周囲にファンフィルタユニットの吐出口１０６が開口した箱状の本体１１０を有し、遠心ファン１０４の下流に集塵フィルタ１１１を有し、室内に均一に空気を吐出する構造となっている。
【０００３】
【発明が解決しようとする課題】
このようなファンフィルタユニットは、クリーンルームの天井のみでなく、装置に組み入れられて用いられることが多く、作業者の近くにあり騒音が大きいという課題があり、商品が低騒音であることが要求されている。
【０００４】
本発明はこのような課題を解決するものであり、騒音が少ないファンフィルタユニットを提供することを目的とする。
【０００５】
【課題を解決するための手段】
本発明のファンフィルタユニットは上記目的を達成するために、かつブレード入り口部にブレードと共に回転するインデューサを有し、ブレードの出口が回転方向に対し後向きで、かつブレードの内径部または内径部より外径側の間の点より外径部までが、軸方向の断面が同一でなく、出口角度が主板側より側板側に向かって順次小さくなるよう、外周部に向かって捻られた形状を有する遠心ファンとしたものである。
【０００６】
本発明によれば、風量を低減することなく低騒音な遠心ファンを提供することができる。
【０００７】
また他の手段は、ブレードの出口が回転方向に対し後向きで、かつブレード入り口部にブレードと共に回転するインデューサを有し、かつブレードの内径部または内径部より外径側の間の点より外径部までが、軸方向の断面が同一でなく、出口角度が主板側より側板側に向かって順次小さくなるよう、外周部に向かって捻られた形状を有する遠心ファンを有し、周囲に箱状の本体を有し、さらに吐出口に集塵フィルタを有したファンフィルタユニットとした構成としたものである。
【０００８】
本発明によれば、風量を低減することなく低騒音な空気清浄効果を持つファンフィルタユニットを提供することができる。
【０００９】
【発明の実施の形態】
本発明は、ブレードの出口が回転方向に対し後向きで、かつブレード入り口部にブレードと共に回転するインデューサを有し、かつブレードの内径部または内径部より外径側の間の点より外径部までが、軸方向の断面が同一でなく、出口角度が主板側より側板側に向かって順次小さくなるよう、外周部に向かって捻られた形状を有する遠心ファンとしたものであり、空気の流れに抵抗なく送風昇圧作用を行うので風量を低減することなく、また乱流渦の発生は小さいので低騒音な遠心ファンを提供することができる。
【００１０】
また他の手段は、ブレードの出口が回転方向に対し後向きで、かつブレード入り口部にブレードと共に回転するインデューサを有し、かつブレードの内径部または内径部より外径側の間の点より外径部までが、軸方向の断面が同一でなく、出口角度が主板側より側板側に向かって順次小さくなるよう、外周部に向かって捻られた形状を有する遠心ファンを有し、周囲に箱状の本体を有し、さらに吐出口に集塵フィルタを有したファンフィルタユニットとした構成としたものであり、ファン内部の空気の流れに抵抗なく送風昇圧作用を行い、風量を低減することなく乱流渦が小さくなり低騒音となるのみでなく、ファン出口の流れも吸込側に行きフィルタに直接当たることなく衝突時の剥離音が小さくファンフィルタユニットとしても低騒音の商品を提供することができる。
【００１１】
以下、本発明の実施例について図面を参照しながら説明する。
【００１２】
【実施例】
（実施例１）
図１および図２に示すように、遠心ファン１は、出口角が９０度より小さい後向きブレード２と吸込ベルマウス９を有する側板３と主板４より構成され、ブレード２は側板３と主板４とで挟まれるように固定されている。またブレード２の入り口部にはインデューサ５がブレードに取り付けられている。羽根車１が回転すると吸込口１０から吸い込まれた空気はインデューサ５によって誘引昇圧されブレード２に沿って外周側に流れブレード出口から遠心ファン１の外に吐出される。このとき、ブレード２は、内径部または内径部より外径側の間の点より外径部までが、軸方向に断面が同一でなく、主板側出口角Ａより側板側出口角Ｂが側板３に向かって順次小さくなるよう、外周部に向かって捻られた形状を有する遠心ファンとしているので、通常主板側に空気が多く流れ昇圧される状態に合わせて出口角度を主板側を大きく側板側を小さくしている。このように空気の流れに抵抗なく送風昇圧作用を行うので風量を低減することなく、また乱流渦の発生は小さいので低騒音な遠心ファンを提供できる。この捻りの程度つまり主板側から側板側までのブレードの出口角の差は５度から３０度の間が性能上最適である。また、インデューサ５によって主板側への送風作用が強くなり、ブレード出口角の捻り効果は、インデューサ付遠心ファンの方が大きくなるが、インデューサがなくても効果はある。
【００１３】
（実施例２）
また、図３に示すように、電動機８によって駆動される遠心ファン１を有し、その遠心ファン１のブレード２の出口は回転方向に対し後向きで、かつブレード２の入口部にブレード２と共に回転するインデューサ５を有し、かつブレード２の内径部または内径部より外径側の間の点より外径部までが、軸方向の断面が同一でなく、出口角度が主板側より側板側に向かって順次小さくなるよう、外周部に向かって捻られた形状で構成され、上記遠心ファン１の周囲に、箱状の本体６を有し、さらに本体１の吐出口に集塵フィルタ７を有したファンフィルタユニットとした構成としたものであり、遠心ファン１の吸込空気の流れに抵抗なく送風昇圧作用を行い、風量を低減することなく乱流渦が小さくなり低騒音となるのみでなく、ファン出口の流れも集塵フィルタ７に直接当たることなく、一旦本体１の内部の吸込側に向かい、本体１の内部で均一化され、その後、集塵フィルタ７に均一化された空気を当てることとなり、衝突時の剥離音が小さくファンフィルタユニットとしても低騒音の商品を提供することができる。
【００１４】
【発明の効果】
以上の実施例から明かなように本発明によれば、遠心ファンのブレードの出口が回転方向に対し後向きで、かつブレードの内径部または内径部より外径側の間の点より外径部までが、軸方向の断面が同一でなく、出口角度が主板側より側板側に向かって順次小さくなるよう、外周部に向かって捻られた形状を有するので、また電動機で駆動される上記遠心ファンの周囲に箱状の本体を有し、さらに吐出口に集塵フィルタを有したファンフィルタユニット羽根車で送風作用と集塵作用を兼ねる作用を行うので、風量を減じることなく低騒音なファンまたはファンフィルタユニットを提供できる。
【図面の簡単な説明】
【図１】本発明の実施例１の遠心ファンの斜視図
【図２】本発明の実施例１の遠心ファンの正面図
【図３】本発明の実施例２のファンフィルタユニットの側断面図
【図４】従来の遠心ファンの正面図
【図５】従来の遠心ファンの斜視図
【図６】従来のファンフィルタユニットの側断面図
【符号の説明】
１　遠心ファン
２　ブレード
３　側板
４　主板
５　インデューサ
６　本体
７　集塵フィルタ
１００　吸込口
１０１　側板
１０２　主板
１０３　ブレード
１０４　遠心ファン
１０５　インデューサ
１０６　吐出口
１０７　吸込口
１０８　ガード
１０９　電動機
１１０　本体
１１１　集塵フィルタ
【図１】
2004052615.tif 000003
【図２】
2004052615.tif 000004
【図３】
2004052615.tif 000005
【図４】
2004052615.tif 000006
【図５】
2004052615.tif 000007
【図６】
2004052615.tif 000008